(57)【要約】【課題】継手部分の外径が波付き可撓管の外径以下であり、容易に継手部分の長さを調整することができ、簡単に波付き可撓管を接続することができる継手を提供する。【解決手段】対応する雌側嵌合部と嵌合する雄側嵌合部と、前記雄側嵌合部と一体的に形成され、波付き可撓管の一方の端部の内側に螺入される所定長さの螺旋部と、前記螺旋の端部の外面に貼り付けられた所定長さの水膨張シートとを備えた雄継手と、前記雄側嵌合部と嵌合する雌側嵌合部と、前記雌側嵌合部と一体的に形成され、波付き可撓管の一方の端部の内側に螺入される所定長さの螺旋部と、前記螺旋の端部の外面に貼り付けられた所定長さの水膨張シートとを備えた雌継手とを備えた継手。【選択図】図３
2009168213.tif 000002
【特許請求の範囲】
【請求項１】
対応する雌側嵌合部と嵌合する雄側嵌合部と、前記雄側嵌合部と一体的に形成され、波付き可撓管の一方の端部の内側に螺入される所定長さの螺旋部と、前記螺旋の端部の外面に貼り付けられた所定長さの水膨張シートとを備えた雄継手と、前記雄側嵌合部と嵌合する雌側嵌合部と、前記雌側嵌合部と一体的に形成され、波付き可撓管の一方の端部の内側に螺入される所定長さの螺旋部と、前記螺旋の端部の外面に貼り付けられた所定長さの水膨張シートとを備えた雌継手とを備えた継手。
【請求項２】
前記雄側嵌合部、前記螺旋部および前記水膨張シート部の外径が前記波付き可撓管の外径以下であることを特徴とする請求項１に記載の継手。
【請求項３】
水膨張シートが外面に貼り付けられた前記水膨張シート部以外の前記螺旋部の部分が、波付き可撓管との接続時の長さ調整部分であることを特徴とする請求項１または２に記載の継手。
【請求項４】
前記雌側嵌合部が、対応する雄側嵌合部の挿入を係止する係止部、雄側嵌合部を不可逆的に固定する抜け止めリングをその内部に収納する抜け止めリング材収納部、および、対応する雄側嵌合部の係合部と係合する係合部を備えており、前記抜け止めリング収納部の外周部は多面体からなっており、前記多面体の外周面は、前記螺旋部の外周面と概ね同一面であることを特徴とする、請求項１から３の何れか１項に記載の継手。
【請求項５】
対応する雌側嵌合部と嵌合する雄側嵌合部と、前記雄側嵌合部と一体的に形成され、波付き可撓管の一方の端部の内側に挿入される螺旋部と、前記螺旋部の端部の外面に貼り付けられた水膨張シート部とを備えた雄継手。
【請求項６】
前記雄側嵌合部、前記螺旋部および前記水膨張シート部の外径が前記波付き可撓管の外径以下であることを特徴とする請求項５に記載の雄継手。
【請求項７】
水膨張シートが外面に貼り付けられた前記水膨張シート部以外の前記螺旋部の部分が、波付き可撓管の接続時の長さ調整部分であることを特徴とする請求項５または６に記載の雄継手。
【請求項８】
前記雄側嵌合部が、対応する雌側嵌合部内の所定位置で停止する係止部、および、シール材を収納するシール材収納部を備えていることを特徴とする請求項５から７の何れか１項に記載の雄継手。
【請求項９】
前記対応する雌側嵌合部が両端継手付き波付き可撓管の一方の端部に取り付けられた雌側嵌合部であることを特徴とする請求項５から８の何れか１項に記載の雄継手。
【請求項１０】
対応する雄側嵌合部と嵌合する雌側嵌合部と、前記雌側嵌合部と一体的に形成され、波付き可撓管の一方の端部の内側に挿入される螺旋部と、前記螺旋の端部の外面に貼り付けられた水膨張シート部とを備えた雌継手。
【請求項１１】
前記雌側嵌合部、前記螺旋部および前記水膨張シート部の外径が前記波付き可撓管の外径以下であることを特徴とする請求項１０に記載の雌継手。
【請求項１２】
水膨張シートが外面に貼り付けられた前記水膨張シート部以外の前記螺旋部の部分が、波付き可撓管の接続時の長さ調整部分であることを特徴とする請求項１０または１１に記載の雌継手。
【請求項１３】
前記雌側嵌合部が、対応する雄側嵌合部を不可逆的に固定する抜け止めリングを備えていることを特徴とする請求項１０から１２の何れか１項に記載の雌継手。
【請求項１４】
前記雌側嵌合部が、対応する雄側嵌合部の挿入を係止する係止部、雄側嵌合部を不可逆的に固定する抜け止めリングをその内部に収納する抜け止めリング材収納部、および、対応する雄側嵌合部の係合部と係合する係合部を備えており、前記抜け止めリング収納部の外周部は多面体からなっており、前記多面体の外周面は、前記螺旋部の外周面と概ね同一面であることを特徴とする、請求項１０から１３の何れか１項に記載の雌継手。
【発明の詳細な説明】
【技術分野】
【０００１】
この発明は、電線またはケーブル等を保護するために用いられる波付き可撓管同士を接続する継手に関する。
【背景技術】
【０００２】
電線またはケーブル等を保護する１対の波付き可撓管を対向配置した接続部に管継手を被せ、管継手の各端部と波付き可撓管の対応する端部とをそれぞれテープで捲き付けて固定して接続する方法が知られている。更に、１対の波付き可撓管を対向配置した接続部に２つ割り継手を被せ、継手の側面に取り付けられたねじ等で波付き可撓管の端部を上下方向に締め付けて固定して接続する方法が知られている。
【０００３】
更に、電線またはケーブル等を保護する１対の波付き可撓管同士を接続する方法が特許文献１（特開２００４−７９９６号公報）に開示されている。特許文献１に開示された１対の波付き可撓管同士を接続する方法を、図５を参照して説明する。
１対の波付き可撓管１０１、１０２の接続に管継手１０３を使用する。先ず、一方の波付き可撓管１０１の端部に管継手１０３の接続部を差し込み、管継手１０３を波付き可撓管１０１の螺旋状の突条１０４に沿って螺旋数回転させて、管継手１０３の概ね全長を波付き可撓管１０１の端部に被せる。次いで、波付き可撓管１０１の端部に対向して他方の波付き可撓管１０２の端部を互いに付き合わせる。
【０００４】
このように突き合わせた他方の波付き可撓管１０２に、双方の波付き可撓管は回転させることなく、管継手１０３を螺旋状の突条１０４に沿って螺旋数の概ね半分を回転させて、管継手１０３の両端部を双方の波付き可撓管の端部に対して概ね均等に被せた状態で接続する。管継手１０３の内周面には一体成形された膨張体１０５が設けられて、外部から浸入しようとする水分を膨張体１０５全体が吸収して膨張し、波付き可撓管１０１、１０２の端部外周面に密着および圧接させて止水する。
【０００５】
更に、波付き可撓管同士を接続する別の方法が特許文献２（特開２００７−１２７１７０号公報に開示されている。
即ち、内周面に吸水性水膨張シートを敷設した螺旋状部と嵌合部を備えた雄継手の螺旋状部側の端部に波付き可撓管を螺入し、内周面に吸水性水膨張シートを敷設した螺旋状部と嵌合部を備えた雌継手の螺旋状部側の端部に波付き可撓管を螺入し、このように螺旋状部の内部に波付き可撓管と螺入された状態の雄継手と雌継手を接続する。
【０００６】
図６を参照してさらに説明する。
図６（ａ）に示すように、ポリエチレン（ＰＥ）製の雄部２０１は螺旋状部２１１と雄側嵌合部２１２で形成され、螺旋状部２１１の内周面にはポリエチレンテレフタレート（ＰＥＴ）製の吸水性水膨張シート２０４が敷設されている。雄側嵌合部２１２の先端側には係止部２１４が形成され、雄側嵌合部２１２の外周面にはエチレンプロピレンゴム（ＥＰＤＭ）で形成されたゴムパッキンが設置されている。
【０００７】
一方、ポリエチレン（ＰＥ）製の雌部２０２は螺旋状部２２１と雌側嵌合部２２２で形成され、螺旋状部２２１の内周面にはポリエチレンテレフタレート（ＰＥＴ）製の吸水性水膨張シート２０６が敷設されている。雌側嵌合部２２２は螺旋状部２２１側に波付き可撓管の貫通を防止する貫通防止部２２３が形成されている。雌側嵌合部２２２の内周面には硬質塩化ビニル樹脂（ＰＶＣ）製の割り付きストッパリング２０７が設置されている。
【０００８】
図６（ｂ）に示すように、長尺形成された２本の高密度ポリエチレン（ＨＤＰＥ）製の波付き可撓管２３１、２３２の端部へ、雄部２０１および雌部２０２を各々の螺旋状部２１１、２２１から螺入する。波付き可撓管２３１、２３２は雄部２０１および雌部２０２に形成された貫通防止部２１３、２２３で固定された状態で螺設されている。波付き可撓管２３１、２３２は螺旋状部２１１、２２１の内周面に敷設された吸水性水膨張シート２０４、２０６と密接されている。雄側嵌合部２１２を雌側嵌合部２２２へ挿設する。
【０００９】
図６（ｃ）に示すように、雄部２０１および雌部２０２が嵌合され、波付き可撓管２３１、２３２が接続されている。ゴムパッキン２０５は、雌側嵌合２２２の内周面に密接されている。割付きストッパリング２０７は係止部２１４で係止されている。
【特許文献１】特開２００４−７９９６号公報
【特許文献２】特開２００７−１２７１７０号公報
【発明の開示】
【発明が解決しようとする課題】
【００１０】
上述した管継手の各端部と波付き可撓管の対応する端部とをそれぞれテープで捲き付けて固定して接続する方法では、作業時間がかかるという問題がある。更に、接続部の外径が大きくなるという問題がある。対向配置した接続部を２つ割り継手で締め付けて固定する方法においても、接続部の外径が大きくなるという問題がある。
【００１１】
特許文献１に開示された１対の波付き可撓管同士を接続する方法においては、波付き可撓管は製造後コイル状に巻いて保管されており、コイル状に巻かれた波付き可撓管の場合、捲き癖が残っているため、波付き可撓管の端部への管継手を螺入し難く、また、管継手を一方の波付き可撓管へ螺入後、他方の波付き可撓管の対向端部を互いに付き合わせ難く、接続上、作業性が困難であるという問題があった。この方法においても、接続部の外径が大きくなるという問題がある。
【００１２】
特許文献２に開示された波付き可撓管同士を接続する別の方法においても、接続部の外径が大きくなるという問題がある。
近年、小さいスペースに少しでも多くの波付き可撓管を敷設するために、波付き可撓管を直接段積みして敷設することが多くなり、波付き可撓管の接続部の外径が大きくなるとスペース内に収めることができなくなる。また、崩れやすくなるという問題がある。
更に、上述した何れの場合にも、両側のハンドホールから波付き可撓管を敷設してきて、中間で接続する場合には、波付き可撓管を切断する長さを正確にする必要があるので、作業が困難であるという問題がある。
【００１３】
従って、この発明の目的は、従来の問題点を解決して、継手部分の外径が波付き可撓管の外径以下であり、容易に継手部分の長さを調整することができ、簡単に波付き可撓管を接続することができる継手を提供することにある。
【課題を解決するための手段】
【００１４】
本発明者は、上述した従来の問題点を解決すべく鋭意研究を重ねた。その結果、螺旋部と嵌合部とからなる雄継手または雌継手の外径を小さくして、螺旋部を波付き可撓管の内側に螺入すると、継手部分の外径が波付き可撓管の外径以下になるので、波付き可撓管を直接段積みして敷設することが容易になり、所定のスペース内に収納することができ、崩れが起きなくなることが判明した。更に、水膨張シートを波付き可撓管の内周面ではなく、螺旋部の端部の外表面の一部に水膨張シートを貼り付けているので、水膨張シートの貼り付け作業が容易になることが判明した。更に、螺旋部の水膨張シートを貼り付けた以外の部分は長さ調整部分として機能することができるので、波付き可撓管の長さの取り扱いが容易であることが判明した。
【００１５】
この発明は、上記研究結果に基づいてなされたものであって、この発明の継手の第１の態様は、対応する雌側嵌合部と嵌合する雄側嵌合部と、前記雄側嵌合部と一体的に形成され、波付き可撓管の一方の端部の内側に螺入される所定長さの螺旋部と、前記螺旋の端部の外面に貼り付けられた所定長さの水膨張シートとを備えた雄継手と、前記雄側嵌合部と嵌合する雌側嵌合部と、前記雌側嵌合部と一体的に形成され、波付き可撓管の一方の端部の内側に螺入される所定長さの螺旋部と、前記螺旋の端部の外面に貼り付けられた所定長さの水膨張シートとを備えた雌継手とを備えた継手である。
【００１６】
この発明の継手の第２の態様は、前記雄側嵌合部、前記螺旋部および前記水膨張シート部の外径が前記波付き可撓管の外径以下であることを特徴とする継手である。
【００１７】
この発明の継手の第３の態様は、水膨張シートが外面に貼り付けられた前記水膨張シート部以外の前記螺旋部の部分が、波付き可撓管との接続時の長さ調整部分であることを特徴とする継手である。
【００１８】
この発明の継手の第４の態様は、前記雌側嵌合部が、対応する雄側嵌合部の挿入を係止する係止部、雄側嵌合部を不可逆的に固定する抜け止めリングをその内部に収納する抜け止めリング材収納部、および、対応する雄側嵌合部の係合部と係合する係合部を備えており、前記抜け止めリング収納部の外周部は多面体からなっており、前記多面体の外周面は、前記螺旋部の外周面と概ね同一面であることを特徴とする継手である。
【００１９】
この発明の雄継手の第１の態様は、対応する雌側嵌合部と嵌合する雄側嵌合部と、前記雄側嵌合部と一体的に形成され、波付き可撓管の一方の端部の内側に挿入される螺旋部と、前記螺旋の端部の外面に貼り付けられた水膨張シート部とを備えた雄継手である。
【００２０】
この発明の雄継手の第２の態様は、前記雄側嵌合部、前記螺旋部および前記水膨張シート部の外径が前記波付き可撓管の外径以下であることを特徴とする雄継手である。
【００２１】
この発明の雄継手の第３の態様は、水膨張シートが外面に貼り付けられた前記水膨張シート部以外の前記螺旋部の部分が、波付き可撓管の接続時の長さ調整部分であることを特徴とする雄継手である。
【００２２】
この発明の雄継手の第４の態様は、前記雄側嵌合部が、対応する雌側嵌合部内の所定位置で停止する係止部、および、シール材を収納するシール材収納部を備えていることを特徴とする雄継手である。
【００２３】
この発明の雄継手の第５の態様は、前記対応する雌側嵌合部が両端継手付き波付き可撓管の一方の端部に取り付けられた雌側嵌合部であることを特徴とする雄継手である。
【００２４】
この発明の雌継手の第１の態様は、対応する雄側嵌合部と嵌合する雌側嵌合部と、前記雌側嵌合部と一体的に形成され、波付き可撓管の一方の端部の内側に挿入される螺旋部と、前記螺旋部の端部の外面に貼り付けられた水膨張シート部とを備えた雌継手である。
【００２５】
この発明の雌継手の第２の態様は、前記雌側嵌合部、前記螺旋部および前記水膨張シート部の外径が前記波付き可撓管の外径以下であることを特徴とする雌継手である。
【００２６】
この発明の雌継手の第３の態様は、水膨張シートが外面に貼り付けられた前記水膨張シート部以外の前記螺旋部の部分が、波付き可撓管の接続時の長さ調整部分であることを特徴とする雌継手である。
【００２７】
この発明の雌継手の第４の態様は、前記雌側嵌合部が、対応する雄側嵌合部を不可逆的に固定する抜け止めリングを備えていることを特徴とする雌継手である。
【００２８】
この発明の雌継手の第５の態様は、前記雌側嵌合部が、対応する雄側嵌合部の挿入を係止する係止部、雄側嵌合部を不可逆的に固定する抜け止めリングをその内部に収納する抜け止めリング材収納部、および、対応する雄側嵌合部の係合部と係合する係合部を備えており、前記抜け止めリング収納部の外周部は多面体からなっており、前記多面体の外周面は、前記螺旋部の外周面と概ね同一面であることを特徴とする雌継手である。
【発明の効果】
【００２９】
この発明の継手によると、継手部分の外径が波付き可撓管の外径以下であるので、継手部分を含めて全体が、波付き可撓管の外径と同じかそれより小さくなり、接続された波付き可撓管を多条敷設しても、継手部分のかさばりがなく、小さいスペースに多くの波付き可撓管を敷設することができる。
更に、この発明によると、雄継手および雌継手の螺旋部の端部の一部の外表面に水膨張シートを貼り付けるので、水膨張シートの貼り付け作業が容易になる。
【００３０】
更に、通常、波付き可撓管を、継手を使用して接続する前に、波付き可撓管の長さを調節して切断する。その際、正確に所定の長さに切断することは困難である。この発明によると、継手を形成する雄継手および雌継手の螺旋部が従来よりも長く設定され、雄継手および雌継手の螺旋部を波付き可撓管の内側に螺入する場合のねじ込み量を調整することができるので、継手部分によって、波付き可撓管の全体の長さを容易に調節することができる。
【００３１】
更に、従来、雄部および雌部の螺旋状部の内部に、波付き可撓管を螺入していたので、挿入状態が視認できなかったが、本発明の態様によると、雄部および雌部の螺旋状部の外側に波付き可撓管を螺入するので、挿入状態が視認でき、確実な装着が可能である。
【００３２】
更に、波付き可撓管は正確に直角に切断されるのではなく、斜めに切断される場合が多く、この発明の態様によると、斜めに切断された状態でも、長さ調整部があることによって、容易に対応して確実な装着が可能である。
【００３３】
更に、雌側嵌合部の抜け止めリング収納部の外周部は多面体からなっているので、回転を防止することがで、姿勢を安定化することができる。
【発明を実施するための最良の形態】
【００３４】
本発明の継手の態様について図面を参照しながら詳細に説明する。
この発明の雄継手の１つの態様は、対応する雌側嵌合部と嵌合する雄側嵌合部と、前記雄側嵌合部と一体的に形成され、波付き可撓管の一方の端部の内側に挿入される螺旋部と、前記螺旋部の端部の外面に貼り付けられた水膨張シート部とを備えた雄継手である。
【００３５】
図１は、この発明の雄継手の１つの態様を説明する図である。図１に示すように、雄継手１０は、対応する雌側嵌合部と嵌合する雄側嵌合部１１と、雄側嵌合部１１と一体的に形成され、後述する波付き可撓管の一方の端部の内側に螺入される螺旋部１２と、螺旋部１２の端部の外表面に接合された水膨張シート部１３とを備えている。雄側嵌合部１１は、対応する雌側嵌合部内の所定位置で係止する係止部１４、シール材（例えばパッキン）を収納するシール材収納部１５、および、対応する雌側嵌合部の端部と係合する係合部１７を備えている。
【００３６】
水膨張シート部１３は、例えば、ポリエチレンテレフタレート（ＰＥＴ）製の吸水性の水膨張シートが貼り付けられて形成されている。外部から浸入しようとする水分を吸水性の水膨張シートが吸収して膨張する。螺旋部１２は、各種管に対応した突条１６を備えている。螺旋部の中の水膨張シート部を除く部分１８は、長さ調整部分として適宜の長さにすることができる。螺旋部１２の外径は、雄側嵌合部１１の最大外径部分よりも小さい外径を有している。
【００３７】
図２は、この発明の雌継手の１つの態様を説明する図である。図２に示すように、雌継手３０は、対応する雄側嵌合部と嵌合する雌側嵌合部３１と、雌側嵌合部３１と一体的に形成され、後述する波付き可撓管の一方の端部の内側に螺入される所定長さの螺旋部３２と、螺旋部３２の端部の外面に貼り付けられた所定長さの水膨張シート部３３とを備えている。雌側嵌合部３０は、対応する雄側嵌合部の挿入を係止する係止部３４、雄側嵌合部を不可逆的にロックするロック材（抜け止めリング材ともいう）３５（例えばロックリング）をその内部に収納するロック材収納部３７、および、対応する雄側嵌合部の係合部１７と係合する係合部３９を備えている。ロック材収納部３７は外表面が多面体、例えば８面体からなっており、継手を接続した波付き可撓管がその面によって回転を防止することができる。
【００３８】
水膨張シート部３３は、雄継手の水膨張シート部と同様に、例えば、ポリエチレンテレフタレート（ＰＥＴ）製の吸水性の水膨張シートが貼り付けられて形成されている。外部から浸入しようとする水分を吸水性の水膨張シートが吸収して膨張する。螺旋部３２は、各種管に対応した突条３６を備えている。螺旋部の中の水膨張シート部を除く部分３８は、長さ調整部分として適宜の長さにすることができる。螺旋部３２の外径は、雌側嵌合部３１の最大外径部分よりも小さい外径を有している。
【００３９】
次にこの発明の継手について説明する。
この発明の継手の第１の態様は、対応する雌側嵌合部と嵌合する雄側嵌合部と、雄側嵌合部と一体的に形成され、波付き可撓管の一方の端部の内側に螺入される所定長さの螺旋部と、螺旋部の端部の外面に貼り付けられた所定長さの水膨張シートとを備えた雄継手と、雄側嵌合部と嵌合する雌側嵌合部と、雌側嵌合部と一体的に形成され、波付き可撓管の一方の端部の内側に螺入される所定長さの螺旋部と、螺旋の端部の外面に貼り付けられた所定長さの水膨張シートとを備えた雌継手とを備えた継手である。
【００４０】
図３はこの発明の継手と波付き可撓管の接続を説明する図である。図３（ａ）に雄継手と波付き可撓管との接続を示す。図３（ａ）に示すように、この発明の雄継手１０は、その一方の端部が、所定の箇所で切断された波付き可撓管の一方の端部にねじ込まれて接続される。雄継手１０は、図の左側から右側に向かって、対応する雌側嵌合部と嵌合する雄側嵌合部１１と、雄側嵌合部１１と一体的に形成され、波付き可撓管２０の一方の端部の内側に螺入される所定長さの螺旋部１２と、螺旋部１２の端部の外面に貼り付けられた所定長さの水膨張シート部１３とを備えている。
【００４１】
図３（ａ）において、波付き可撓管２０は断面を示し、裏面側の螺旋状態を示している。即ち、図示しない表面側の螺旋状態は雄継手の螺旋状態と対応している。雄継手１０は、例えばポリエチレン（ＰＥ）製の雄側嵌合部１１と波付き可撓管２０の一方の端部の内側に挿入される螺旋部１２とが一体的に形成されている。螺旋部１２の雄側嵌合部１１と反対側の端部の外表面に、例えばポリエチレンテレフタレート（ＰＥＴ）製の吸水性の水膨張シートが貼り付けられて水膨張シート部１３が形成されている。水膨張シート部を備えた螺旋部を波付き可撓管の端部の内側にねじ込むと、外部から浸入しようとする水分を吸水性の水膨張シートが吸収して膨張し、波付き可撓管２０の端部の内周面に密着および圧接させて止水する。螺旋部１２は、対応する波付き可撓管２０の突条２１に対応する突条１６を備えており、雄継手が突条に沿って回転して、波付き可撓管内に螺入されて嵌合される。
【００４２】
雄側嵌合部１１は、対応する雌側嵌合部内の所定位置で係止する係止部１４、シール材を収納するシール材収納部１５、および、対応する雌側嵌合部の端部と係合する係合部１７を備えている。上述したように突条１６を備えた螺旋部１２の雄側嵌合部１１と反対側の端部の外表面に水膨張シート１３が貼り付けられた状態で、雄継手を回転させて、波付き可撓管２０の突条２１に対応する突条１６を螺入して、雄継手と波付き可撓管とを接続する。このため、螺旋部および螺旋部の外表面に貼り付けられた水膨張シートの部分の外径は、波付き可撓管２０の外径よりも小さい。更に、雄側嵌合部においても、係止部１４、シール材収納部１５、係合部１７の外径も、波付き可撓管２０の外径よりも小さい。
【００４３】
次に、図３（ｂ）に雌継手と波付き可撓管との接続を示す。図３（ｂ）に示すように、この発明の雌継手３０は、その一方の端部が、所定の箇所で切断された波付き可撓管の一方の端部にねじ込まれて接続される。雌継手３０は、図の右側から左側に向かって、対応する雄側嵌合部と嵌合する雌側嵌合部３１と、雌側嵌合部３１と一体的に形成され、波付き可撓管４０の一方の端部の内側に螺入される所定長さの螺旋部３２と、螺旋部３２の端部の外面に貼り付けられた所定長さの水膨張シート部３３とを備えている。
【００４４】
図３（ｂ）において、波付き可撓管４０は表面側の螺旋状態を示している。即ち、図に示すように、表面側の螺旋状態は雌継手の螺旋状態と対応している。雌継手３０は、例えばポリエチレン（ＰＥ）製の雌側嵌合部３１と波付き可撓管４０の一方の端部の内側に挿入される螺旋部３２とが一体的に形成されている。螺旋部３２の雌側嵌合部３１と反対側の端部の外表面に、例えばポリエチレンテレフタレート（ＰＥＴ）製の吸水性の水膨張シートが貼り付けられて水膨張シート部３３が形成されている。外部から浸入しようとする水分を吸水性の水膨張シートが吸収して膨張し、波付き可撓管４０の端部の内周面に密着および圧接させて止水する。螺旋部３２は、対応する波付き可撓管４０の突条４１に対応する突条３６を備えており、波付き可撓管に螺入されて嵌合される。
【００４５】
雌側嵌合部３１は、対応する雄側嵌合部内の所定位置で係止する係止部３４、雄側嵌合部を不可逆的にロックするロック材１５を収納するロック材収納部３７、および、対応する雄側嵌合部の係合部１７と係合する係合部３１を備えている。上述したように突条３６を備えた螺旋部３２の雌側嵌合部３１と反対側の端部の外表面に水膨張シート３３が貼り付けられた状態で、雌継手を回転させて、波付き可撓管４０の突条４１に対応する突条３６を螺入して、雌継手と波付き可撓管とを接続する。このため、螺旋部および螺旋部の外表面に貼り付けられた水膨張シートの部分の外径は、波付き可撓管４０の外径よりも小さい。更に、雌側嵌合部においても、係止部３４、ロック材収納部３７、係合部３１の外径も、波付き可撓管４０の外径よりも小さい。
【００４６】
上述した雄継手１０を、波付き可撓管２０の螺旋状の突条２１に沿って接続方向に螺旋数回転させて、少なくとも水膨張シート部が波付き可撓管２０の端部にねじ込まれて、雄継手１０が波付き可撓管２０に接続される。同様に、上述した雌継手３０を、波付き可撓管４０の螺旋状の突条４１に沿って接続方向に螺旋数回転させて、少なくとも水膨張シート部が波付き可撓管４０の端部にねじ込まれて、雌継手３０が波付き可撓管４０に接続される。このように波付き可撓管と接続された雄継手および雌継手が図に示すように接続されて、波付き可撓管が接続される。雌継手のロック材によって雄継手が不可逆的に挿入され、パッキン等のシール材によって雌継手の内周面と雄継手の外周面との間がシールされる。波付き可撓管は概ね同一の径および形状に形成され、螺旋状の突条を有している。
【００４７】
この発明の継手を形成する雄継手および雌継手の螺旋部が従来よりも長く設定され、雄継手および雌継手の螺旋部を波付き可撓管の内側に螺入する場合のねじ込み量を調整する。即ち、水膨張シートが外面に貼り付けられた水膨張シート部以外の螺旋部の部分が、波付き可撓管との接続時の長さ調整部分である。この発明の継手においては、調整部分の長さが波付き可撓管外形寸法の１／２以下であることが好ましい。さらに、水膨張シート部の長さが、雄継手または雌継手の全長の１／２以下であることがこのましい。上述したように、螺旋部および水膨張シート部分の長さを設定することによって、継手部分によって、波付き可撓管の全体の長さを容易に調節することができる。
【００４８】
本発明の継手は、螺旋部どうしの接続だけでなく、両端継手付波付き管にも適用することができる。
図４（ａ）は両端継手付き管を示す図である。図４（ａ）に示すように、両端継手付き管は、雄部および雌部が波付き可撓管の両端に一体的に成型されている。図の左端に雌部が、右端に雄部が位置している。
【００４９】
図４（ｂ）および図４（ｃ）は、この発明の雄継手と両端継手付き管の雌部との接続を説明する図である。図４（ｂ）に示すように、両端継手付き管６０が所定の箇所で切断された螺旋部９０とこの発明の雄継手１０が接続される。雄継手１０は、上述したように、両端継手付き管６０の対応する雌部８０と嵌合する雄側嵌合部１１と、雄側嵌合部１１と一体的に形成され、切断された波付き可撓管の螺旋部９０の内側に挿入される螺旋部１２と、螺旋部１２の端部の外表面に貼り付けられた水膨張シート部１３とを備えている。
【００５０】
雄継手１０を、波付き可撓管６０の螺旋状の突条９１に沿って接続方向に螺旋数回転させて、少なくとも水膨張シート部の一部が波付き可撓管６０の螺旋部９０にねじ込まれて、雄継手１０が波付き可撓管６０に接続される。この場合においても、螺旋部１２は長さ調整部として機能する。このように波付き可撓管６０に接続された雄継手１０と両端継手付き管６０の対応する雌部８０とを接続する。
【００５１】
同様にして、この発明の雄継手、雌継手を各種管に適用することができる。
水膨張シート部は、水分を吸収して膨張するシート状の膨張体である。使用する対象によって、膨張体の吸水性を適宜選択することができる。水膨張シートは例えばポリエチレンテレフタレート（ＰＥＴ）等の耐熱性の良好な繊維を使用することができる。用途によって、高吸水性樹脂、熱可塑性樹脂、水膨張シートの混合物を用いてもよい。
【００５２】
上述したように、この発明によると、継手部分の外径が接続される管部分の外径よりも大きくならないので、管を多条敷設しても継手部分がかさばらない。更に、継手接続前に、管の長さを調節して切断するが、管を所望の長さで正確に切断することは困難であるが、この発明の継手によると、ねじ込み量を調整することによって継手で長さの調節を行うことができる。
【図面の簡単な説明】
【００５３】
【図１】図１は、この発明の雄継手の１つの態様を説明する図である。
【図２】図２は、この発明の雌継手の１つの態様を説明する図である。
【図３】図３はこの発明の継手と波付き可撓管の接続を説明する図である。図３（ａ）に雄継手と波付き可撓管との接続を示す。図３（ｂ）に雌継手と波付き可撓管との接続を示す。
【図４】図４（ａ）は両端継手付き管を示す図である。図４（ｂ）および図４（ｃ）は、この発明の雄継手と両端継手付き管の雌部との接続を説明する図である。
【図５】図５は、１対の波付き可撓管同士を接続する従来の方法を説明する断面図である。
【図６】図６は、波付き可撓管同士を接続する別の従来の方法を説明する断面図である。
【符号の説明】
【００５４】
１０  雄継手
１１  雄側嵌合部
１２  螺旋部
１３  水膨張シート部
１４  係止部
１５  ロック材
１６  係合部
１７  抜け止め部材
１８  螺旋部の水膨張シート部を除く部分
３０  雌側嵌合部
３１  雌側嵌合部
３２  螺旋部
３３  水膨張シート部
３４  係止部
３６  突条
３７  ロック材収納部
３８  螺旋部の水膨張シート部を除く部分
３９  係合部
４０  波付き可撓管
４１  突条
６０  両端継手付き管
【図１】
2009168213.tif 000003
【図２】
2009168213.tif 000004
【図３】
2009168213.tif 000005
【図４】
2009168213.tif 000006
【図５】
2009168213.tif 000007
【図６】
2009168213.tif 000008